(57)【要約】【課題】種々の医療及び美容の皮膚科学処置を行う、適当なランプ等の源からのコヒーレント放射の利用のための改良された装置及び方法を提供する。【解決手段】この発明は、患者の皮膚の処置のためのランプを使用する装置、及び種々の皮膚処置のためのランプを使用する方法に関し、該ランプは、従来のそのような装置よりも効率的である。該装置は、光子漏出を最小にすること及び他の向上により効率を改善する。本発明は、患者の皮膚における光学的処置に使用される波長に対する種々の増強をも含む。【選択図】図１
2006334438.tif 000002
【特許請求の範囲】
【請求項１】
患者の皮膚を処置する方法であって、
患者の皮膚への適用に適している光放射の少なくとも一つのパルスを発生可能なランプを準備する工程にして、該パルスは調整可能なパルス幅を有する該工程と、
望ましい皮膚処置に適したスペクトルを得るためにパルス幅を調整する工程と、
前記放射を皮膚領域に当てる工程とを含む方法。
【請求項２】
前記スペクトルは、患者の皮膚における一又は複数の発色団によって吸収される一又は複数の波長成分を含む請求項１の方法。
【請求項３】
前記パルス幅の調整は、約１ミリ秒〜約５００ミリ秒の範囲からパルス幅を選択することを含む請求項１の方法。
【請求項４】
前記スペクトルは、約２００ｎｍ〜約１０００ｎｍの範囲の波長においてピーク発光を示す請求項１の方法。
【請求項５】
皮膚への適用のために一又は複数の波長成分を分離するために、前記スペクトルをスペクトルフィルタリングする工程を更に含む請求項１の方法。
【請求項６】
前記スペクトルは、ランプ放射の望ましい色温度に対応する請求項１の方法。
【請求項７】
前記パルス幅の調整は、約３４００Ｋ〜約１０，０００Ｋの範囲内とされる前記色温度を選択することを含む請求項６の方法。
【請求項８】
前記ランプを、フラッシュランプ、ハロゲン化金属ランプ、水銀ランプ、高圧ナトリウムランプ、蛍光灯、ハロゲンランプ及び白熱電球からなる群から選択する工程を更に含む請求項１の方法。
【請求項９】
患者の皮膚を処置するための光放射を発生させる方法であって、
患者の皮膚への適用に適している複数の光放射パルスを発生可能なランプを準備する工程と、
前記放射線パルスを皮膚に当てる工程と、
前記パルスの少なくとも一つのパルス幅を、その波長スペクトルを少なくとも別のパルスの波長スペクトルに対してシフトするように調整する工程とを含む方法。
【請求項１０】
前記パルス幅の調整は、約１ミリ秒〜約５００ミリ秒の範囲内とされるパルス幅を選択することを含む請求項９の方法。
【請求項１１】
患者の皮膚を処置するための装置であって、
患者の皮膚への適用に適している光放射パルスを発生させるように適合されたランプにして、調整可能なパルス幅を有する該ランプと、
ランプに電気的に結合され、かつ前記パルスの発光スペクトルを変更するようにパルス幅を調整可能な機構とを備えた装置。
【請求項１２】
前記機構は、パルス幅を、約１ミリ秒〜約５００ミリ秒の範囲内で調整する請求項１１の装置。
【請求項１３】
前記機構は、パルスのパルス幅を、そのスペクトルのピーク波長を約２００ｎｍ〜約１０００ｎｍの範囲で変更するように調整する請求項１１の装置。
【請求項１４】
前記ランプは、フラッシュランプ、ハロゲン化金属ランプ、水銀ランプ、高圧ナトリウムランプ、蛍光灯、ハロゲンランプ及び白熱電球から選択される請求項１１の装置。
【請求項１５】
前記機構は、該装置のユーザから入力されたパルス幅を受信するためのインターフェースを含む請求項１１の装置。
【請求項１６】
組織の処置を行うための装置であって、
放射を光放射源から前記組織へと当てるための出力端部がある導波管を有するハンドピースと、
ハンドピースに結合されるマスクにして、前記組織に分離した処置スポットを与えるため、放射の通過を許容する空間的パターンを有する該マスクとを備えた装置。
【請求項１７】
前記マスクは、前記導波管の出力端部に結合される請求項１６の装置。
【請求項１８】
前記マスクは反射性を有する請求項１６の装置。
【請求項１９】
前記マスクは非吸収性である請求項１６の装置。
【請求項２０】
前記光放射源は非コヒーレント源である請求項１６の装置。
【請求項２１】
前記光放射源はランプである請求項２０の装置。
【請求項２２】
前記光放射源はハンドピース内にある請求項１６の装置。
【請求項２３】
前記マスクは、前記導波管の出力端部上のコーティングである請求項１６の装置。
【請求項２４】
前記装置は、使用時において前記組織を冷却する冷却機構を含む請求項１６の装置。
【請求項２５】
前記冷却機構は前記導波管を冷却する請求項２４の装置。
【請求項２６】
前記空間的パターンは、光学的な複数の開口を含む請求項１６の装置。
【請求項２７】
前記開口は同じ形状を有する請求項２６の装置。
【請求項２８】
前記開口は、正方形、長方形又は円形のうちの一つの形状とされる請求項２７の装置。
【請求項２９】
前記光学的な開口は、前記マスクにおいて周期的に間隔が置かれる請求項２６の装置。
【請求項３０】
該装置と前記組織との接触を感知する接触センサを更に備えた請求項１６の装置。
【請求項３１】
前記マスクから反射された光子を該マスク及び前記組織へと戻すように向けるための機構を更に備えた請求項１６の装置。
【請求項３２】
前記機構は反射板を含む請求項３１の装置。
【請求項３３】
前記組織から反射された光子を該組織へと戻すように向けるための機構を更に備えた請求項１６の装置。
【請求項３４】
前記機構は、前記導波管の外側面に形成された反射板を備える請求項３３の装置。
【請求項３５】
前記反射板は散乱反射板である請求項３３の装置。
【請求項３６】
前記組織における前記処置スポットの少なくともいくつかは、５０μｍ未満の大きさである請求項１６の装置。
【請求項３７】
前記マスクは、別個の領域において伝えることができる請求項１６の装置。
【請求項３８】
前記マスクは、複数の領域において伝えることができかつ反射性がある請求項１６の装置。
【請求項３９】
前記マスクは、導波管上のコーティングを含む請求項１６の装置。
【請求項４０】
前記マスクは、導波管を通過する光の位相変調によって形成される請求項１６の装置。
【請求項４１】
前記マスクは、導波管の屈折率における変化によって形成される請求項１６の装置。
【請求項４２】
前記マスクは、導波管の表面における表面変調によって形成される請求項１６の装置。
【発明の詳細な説明】
【技術分野】
【０００１】
この発明は、光を用いる美容処置及び皮膚科学処置に関し、更に詳しくは、そのような処置のための改良された方法及び装置に関する。
【０００２】
この出願は、タイトルが「光美容処置及び光皮膚処置のための装置及び方法（Apparatus and Methodfor Photocosmetic and Photodermatological Treatment）である２００１年３月２日付け出願の米国予備出願通し番号第６０／２７２，７４５号に対する優先権を主張する。
【背景技術】
【０００３】
光学的放射は、種々の医療及び美容の皮膚科学問題を扱う医学的及び非医学的な設備として、長年、利用されている。そのような問題は、不必要な体毛の除去、クモ状静脈、拡張蛇行静脈及び他の血管障害の処理、ポートワイン母斑及び他の色素性障害の処理、皺の処理のための乾癬、皮膚再表面化（skin resurfacing）及び皮膚（肌）の若返りの処理、座瘡のための処理、脂肪の低減もしくは除去のための種々の処理、セリュライトのための処理、入れ墨除去、種々の傷跡及び他の皮膚欠陥の除去その他を含むが、決してこれらに限定されない。そのような処理において、一般にレーザーから発せられるコヒーレント光及び一般にフラッシュランプもしくはその他のランプから発生せられるインコヒーレント（非干渉性）光の両方が使用されている。
【０００４】
近年、この分野において高まる関心が、種々のランプからのインコヒーレント光の使用に集中しており、その理由は、そのような光源の使用によってコスト削減の見込みがあるため、及び、処置領域に重なるか又はそれを囲む領域の患者の皮膚に対し起こり得る熱的又は他の損傷の観点及び目の安全の観点から、そのような光源が安全であると考えられているためである。しかしながら、既存のランプベース皮膚科学システムは、それらのコスト又は安全の可能性も十分に実現していない。この理由の一つは、これらの装置の最良のものでさえ、発生した放射（照射）の処置領域への送出におけるせいぜい１５％の効率である。これは、より大きく高価な光源が、種々の処置に要求されるエネルギーレベルを達成するために利用されなければならないことを意味する。そのような装置において浪費したエネルギーは、熱をも作り出すことができ、該熱は、アプリケータが快適で安全に保持されることを許容し、かつ、患者の皮膚に対する熱的損傷を回避すべく、該システムに対する熱的損傷を防ぐため、効果的に除去されなければならない。熱管理を容易にするための装置は、これらの機器のコストをも高める。
【０００５】
これらの機器（装置）の使用における患者の皮膚に対する熱的損傷の一つの可能性のある源は、患者の皮膚に適用されている放射線ビームにおける局所的ホットスポットである。そのようなホットスポットを回避するため、適用放射は、実質ビーム全体にわたって強度（光度もしくは輝度）及びスペクトル内容において実質上均一であることが望ましい。これは、既存のランプシステムにはしばしば当てはまらなかった。
【０００６】
効率及び安全性の両面の達成における別の重要な要因は、各特定の処置に対する放射適用の利用波長帯域、強度及び持続時間を含むランプパラメーターを最適にすることである。装置を冷却するため、及び放射を発生させ、またこれを制御するための、選択された波長を達成するランプ出力のフィルタリング（フィルター処理）用の改良された機構は、効率向上、コスト削減及び安全性の向上により貢献できるであろう。
【発明の開示】
【発明が解決しようとする課題】
【０００７】
そのため、種々の医療及び美容の皮膚科学処置を行う、適当なランプ又は他の源からの非コヒーレント放射の利用のための改良された装置及び方法に対するニーズが存在する。
【課題を解決するための手段】
【０００８】
上記に従い、この発明は、患者の皮膚の処置のため、ランプを利用する装置を提供する。本装置は、患者の皮膚と光学接触するように適合された導波管と、ランプからの光子を導波管を通って患者の皮膚へと向ける機構とを含み、該機構は、本装置からの光子のロス（喪失）を抑制するサブ機構（副機構）を含む。該機構は、反射板を含み得、反射板及び導波管は、これらが共に、これらの間に実質上間隙を全く伴わずにフィットするように寸法及び形状が作られる。反射板と導波管との間に間隙が存在する限り、該間隙は、反射性材料で実質的にシールされ得る。反射板は、反射板上の各光子に対する反射数を最小化するように、ランプを基準にして寸法が決められ、かつランプに対し取り付けられる。反射板は、そのような最小反射数を実現するため、ランプに対し十分小さく、かつランプに対し十分近接して取り付けられる。反射板は、ランプの外側面に形成され得る。管が、ランプと該管との間に間隙を持ってランプを囲んで設けら得、該間隙を通って、流体がランプを冷却するために流される。反射板は、管の内側面又は外側面上に形成され得る。反射板は、好ましくは円筒形状である。反射板は、散乱散乱反射板であり得、また、それによってフィルター処理された波長を制御するための機構を含む。あるいは、反射板は、その上を伝播する光から選択波長をフィルター処理する（フィルターに通す）材料から形成され得る。
【０００９】
いくつかの実施形態では、反射板と導波管との間に間隙があり得る。第２反射板は、該間隙内に取り付けられ、これは、反射板と共に、ランプからの実質上全ての光子を導波管へと向ける。
【００１０】
本装置はまた、所望の波長スペクトルを実現するため、ランプからの光を選択的にフィルタリング（フィルター処理）するための機構を含む。このフィルタリング機構は、ランプ、ランプ上に形成されたコーティング、ランプを囲む管、ランプと管との間の間隙内のフィルター装置、ランプからの光のための反射板、導波管、及び、ランプと導波管との間のフィルター装置の内の一つ又は複数の一部として含まれ得る。フィルタリング機構は、吸収フィルター、選択的反射フィルター、及びスペクトル共振散乱体であり得る。フィルターは、多層コーティングを含み得る。
【００１１】
導波管は、ランプからの光出力の均一性を高めるように選択された長さであり得る。ランプからの光出力は、導波管長の関数としての共振を有し得る。導波管は、好ましくは、共振長の一つと等しい長さである。導波管の長さは、好ましくは、ランプ近傍の導波管の端部における導波管の幅及び深さの小さい方よりも長い。
【００１２】
本装置はまた、患者の皮膚内における光子の角スペクトルを制御するための機構を含み得る。更に詳しくは、ランプと導波管との間に間隙が設けられ得、該間隙は、選択された屈折率を有する物質で満たされる。管がランプを囲む場合、この間隙は、該管と導波管との間にある。間隙の長さは、最小化されるべきであり、好ましい実施形態では、該間隙は空気で満たされるべきである。
【００１３】
導波管は、受光面において光出力面におけるよりも大きい面積を有し得、これら受光面と光出力面との間に曲がった側部を有し得る。導波管は、これを通って形成された複数のカット（切除部）をも有し得、該カットは、これを通って冷却流体が流されるように適合される。導波管はまた、患者の皮膚と接触する面を有し得、これには、患者の皮膚への光子の送出を制御するようにパターン模様が形成される。導波管はまた、患者の皮膚と接触する凹状面を有し得、この凹状面は、凹面を有する導波管自体又は凹状縁を有する面を囲むリムのいずれかによって実現され得る。上記凹状面の深さは、本装置に適用される圧力と共に、本装置によって処置される血管の深さを制御するように好ましくは選択される。圧力下での患者の皮膚に対する凹状面の適用によって血流が制限される血管の深さを検出するための機構も設けられ得る。この機構は、所望の深さでの血管の処置を許容するように圧力が制御されることを可能にする。あるいは、導波管は、患者の皮膚に対する選択的な圧力の適用を可能にするように形状が作られた皮膚接触面を有し得、これにより、処置が行われる深さを制御する。導波管は、少なくても一部において、レイジング導波管又は超発光導波管であり得、また、光学導波管内部のレイジング導波管を含み得る。あるいは、レイジング材料又は超発光材料がランプを囲み得、該ランプからの光子は、この材料へと向けられる。
【００１４】
患者の皮膚及び導波管の皮膚接触面の両方に対し、接触直前に冷却スプレーを送出する機構も設けられ得る。導波管は、熱の良好な導体である材料から成る患者の皮膚に近い下方部分と、熱の良好な導体ではない材料から成る上方部分とを含み得、下方部分の厚さは、患者の皮膚を冷却する深さを制御する。そのような患者の皮膚における冷却深さの制御はまた、熱伝導材料から成る板であって、患者の皮膚と接触する面とは反対側のその面上に冷却流体を流す当該板の厚さを制御することによって実現され得る。本装置が患者の皮膚から予め決められた距離内にある場合を示す検出器も設けられ得、冷却スプレーは、そのような検出器に応答して作動される。
【００１５】
本装置はまた、導波管から後方に向く光出力チャネルを含み、これは、後方散乱検出器に至る。該チャネルは、皮膚に対する垂直線に対し角度αであり、これは、後方散乱光のみが該検出器に到達することを保証する。ランプは、図１１のパワー分布４４、４５又は４６の一つであるパワー分布によって作動され得る。導波管は、単一の構成要素として形成され得、ランプは、その中に形成される開口を貫通する。
【００１６】
本発明はまた、患者の皮膚における種々の処置を実行するため、ランプを利用する方法を含み、これは、表１のパラメーターを利用する、毛の除去（脱毛）を行うための方法と、表２、３及び４のパラメーターを利用する、血管障害の処置を行うための方法と、表２及び６のパラメーターを利用する、皮膚の若返り（再生）を行うための方法と、細菌（バクテリア）を殺すこと、皮脂腺の加熱分解、及び／又は皮脂腺に栄養を与えるクモ状静脈を末梢することによって座瘡を処置するための方法と、表５のパラメーターを利用する色素性障害を処置する方法とを含む。
【００１７】
患者の皮膚に適用されるランプからの光学的放射のための光学スペクトルは、患者の表皮の温度に対する処置ターゲットにおける温度の比率が選定値Ｓであるようにされ、これは、好ましくは１より大きい。フィルター処理は、上記目的を達成するため、ランプ出力から一又は複数の波長帯域を提供するために使用され得る。導波管温度に依存する散乱特性を有する導波管が利用され得、この特徴は、患者の皮膚を自動的に保護するために利用され得る。反射マスク、吸収マスク又はフェーズ（位相）マスクが、放射が適用される患者の皮膚の領域を制御するため、導波管の端部に取り付けられるか又は形成され得る。
【００１８】
本発明の上述した目的又は他の目的、特徴及び利点は、添付図面に例示されるような本発明の好ましい実施形態の以下のより詳細な説明から明らかとなろう。種々の図面における同様な構成要素は、同一又は関連した参照番号を有する。
【発明を実施するための最良の形態】
【００１９】
図１及び図２において、皮膚１の美容及び医療の皮膚科学処置のための例示装置Ｄの断面が示される。以下の記述の大部分は、この装置に関連するが、これは本発明における限定ではない。光源は、ガス（Ｘｅ、Ｋｒ、Ｈｇ等）で満たされた直線的管状アークランプ２によって表される。該ランプは、円筒断面のガラス又はクリスタル管４内に封入される。ランプ２と管４との間の間隙７は、液体又はガスで満たされ、これはポンプで注入され得る。反射板３は、隙間をもって又は隙間なく該管の周囲に置かれる。該反射板は、基体上に真空又はガルヴァニック高反射皮膜を含み得、該基体は、湾曲管状部分を有し、また、平坦部を伸ばし、これは全側部において導波管５に達する（好ましくは導波管５に一部重なる）。該反射板は端板３を含み、これは、図２に最も良く示され、また、反射板３と導波管５との間のどのような隙間をも最小限にするように働く。少しでも隙間が残る限り、それは、光子漏出を最小限にする反射性材料で埋められ得る。該反射板はまた、該反射板と導波管との間の隙間が最小化され、全反射板面の１０％を超えないような方法で、また、反射率が、そこに突き当たる放射の全波長に対し１．００に近づき、好ましくは、いかなるそのような波長に対しても０．８５未満ではないような方法で形成されるべきである。反射板は、ランプを向く反射面を有する薄い可撓性金属シートの形態であり得る。該反射面は、高度な研磨面であり得、又は高反射コーティングを有し得る。該コーティングは、例えば銀又は金であり得る。該コーティングは、化学的劣化に対し該コーティングを保護するため、保護ポリマーフィルム又は薄い非有機的な誘電体によって覆われ得る。反射板コーティングは、皮膚処置に用いられる放射線のスペクトル範囲において低吸収である拡散反射被膜又は粉末（例えば、ＢａＳＯ4）の層であり得る。
【００２０】
反射板は、導波管５と光学的に結合される。ランプ２からの直接光と反射板３で反射されたランプ２からの光は、皮膚への送出のため、フィルター６及び導波管を通って結合される。導波管は、ガラス又は誘電体結晶から形成され得る。ランプの放射線スペクトルは、皮膚における選択された対象の処置のために最適であるスペクトルに変換され得る。このスペクトルの変換は、以下の技術（ａ）〜（ｄ）の内の一つ又はそれらの組合せによって与えられる。すなわち、（ａ）ランプ２のエンベロープ（外被）における吸収、（ｂ）間隙７中の液体における吸収、（ｃ）管４における吸収、及び／又は、（ｄ）フィルター６における吸収又は有向散乱である。ランプ２のエンベロープ、間隙７の液体及び／又は管４に吸収されたエネルギーは、ストークスのルミネセンスの結果として所望の波長スペクトル範囲に変換され得る。例えば、管４は、蛍光性材料又は間隙７に使用され得る色素（染料）が入れられた（ドーピング（もしくはドープ）された）液体から成り得る。これらは、高域フィルターとして機能し得、選択された遮断波長より上で蛍光発光し、エネルギーを青から赤へ移す。これは、エネルギー損失なしに表皮に対するいくらかの保護を与え得る。ランプからの変換された放射線及び変換されていない放射線の両方が、導波管５を通って皮膚へと送られ得る。
【００２１】
吸収は、例えば、Ｃｅ、Ｓｍ、Ｅｕ、Ｅｒ、Ｃｒ、Ｔｉ、Ｎｄ、Ｔｍ、Ｃｕ、Ａｕ、Ｐｔといった金属のイオン、有機及び／又は無機色素、例えば半導体微結晶、又は、ガラス又は液体中に溶ける他の適当なドーピング物質と共に上記の成分をドーピング（注入）することによって与えられ得る。フィルター６は、導波管５の表面上、透明基体上又は散乱媒体上に多層誘電体干渉コーティングとして形成され得る。該散乱媒体は、例えばフォトリソグラフィによって製造された導波管５の表面における特別の規則的な分布として形成され得る。それは、例えば、処置に必要なスペクトル及び角度透過を有する位相格子であり得る。フィルター６は、いくつかの積重ねフィルター要素でもあり得、各フィルターは、選択された（一又は複数の）帯域内で機能し、いくつかの帯域は比較的狭いかもしれない。いくつかのフィルターの使用は、所望の波長を得ることをより容易にし、また、いつくかのフィルター要素の使用により、一のフィルター要素が過度に熱くなることはない。フィルタリングが例えば管４上及び／又は反射板７上のコーティングによって行われる限り、そのようなコーティングは多層でもあり得る。
【００２２】
フィルター６は、コールドフィルター又は非吸収フィルターでもあり得、これは好ましくは、複数層、例えば３０層を有する。そのようなフィルターは、望ましくない波長を除去することができる干渉を作り出す種々の層で選択的に反射する。反射された放射線も光学的に除去され得る。しかしながら、これらのいわゆる多層誘電体フィルターは、熱管理問題を低減する点で有利であるが、これらは一般的に、短い波長を除去するにはそれ程有効ではなく、また、平行ビームに対し非常に良く光をフィルタリングするのに対し、高発散ランプビームでは、それらは、より良い波長選択性に必要とされる鋭い遮断フィルタリングを提供することができる。潜在的にフィルター６として使用されるかもしれな他のフィルターは、吸収帯を有す半導体材料から成るフィルムを含み、該吸収帯は、これに適用される電界の関数である。そのような半導体フィルムは、シュタルク効果を経験し得、そこでは、遮断周波数は、該材料を通る電流又は電圧を制御することにより制御され得る。
【００２３】
散乱フィルターもフィルター６に使用され得る。そのようなフィルターは、例えば、液晶材料から形成され得、該材料を横切って適用される電流又は電界が波長を制御し、そこでは該要素の反射率は同一であり、光子が通過することを許容する波長に対し、散乱は全く無い。他の波長は、散乱によって減衰される。散乱フィルター６は、通過帯域の幅及び波長を制御するため、異なる材料によって多層とされ得るか、又は、異なる材料が液晶材料の単一の層に使用され得る。そのような通過帯域は、一般に、温度及び電界の両方に依存するであろう。そのような散乱フィルターは、主に望ましくない波長を、後方を含む大きな角度で散乱させるように設計されるべきである。該後方散乱ビームの大きな角度は、多重反射をもたらし、これは、これらの不必要な周波数を更に減衰させる。
【００２４】
最終的に、追加のフィルター２は、該フィルターもこのチャネル７内の冷却液によって冷却されるように、チャネル７に取り付けられ得る。装置Ｄから所望の出力波長バンドを実現するために用いられるフィルターの位置及び種類の両方に対し、現在知られているか又は将来開発される他のオプションも使用され得る。装置Ｄからの所望出力波長バンドを実現するために利用されるフィルターに対する（一又は複数の）位置及びフィルターの種類を選択する上で重要な三つの基準が存在する。これらの基準は、フィルター内で生じる熱を最小限にするような、及び／又は、そこからの熱の除去を容易にするような熱設計、フィルターの選択及び配置である。処置の安全性及び効率にとって特に重要な第２の基準は、ランプの全角度スペクトルに対する信号遮断の鋭さである。第３の基準は、必要な波長の高い伝送である。フィルタリングは、ビームのエネルギーのいくらかを除去し、吸収フィルターに熱として散逸されるこのエネルギーが多いほど、装置Ｄの効率は低下する。
【００２５】
導波管５は、効率的な光の患者の皮膚１への結合（結びつけ）及び皮膚表面の冷却を与えるため、少なくとも処置中、該皮膚１と光学的及び熱的に接触する。ランプの低平均電力（処置の低繰返し率を含む）では、装置構成要素（ランプ２、反射板３、吸収フィルター）の冷却は、自然対流によって与えられ得る。ランプの高平均電力では、追加の冷却は、冷却システム１１（図２）によって与えられ得、該システムは、液体又はガスを例えばチャネル又は間隙７を通って流し、冷却された構成要素と流れている冷却剤、例えば間隙７の液体との熱的接触の結果として、この場合、冷却する。もし皮膚（表皮）の冷却が必要ならば、導波管５は、照射の前、間及び／又は後に冷却され得る。導波管５を冷却するための模範的な技術は、後述される。ランプ電源１０は、皮膚ターゲットの最適な照射のため、必要な動力、ランプ放出パルスの継続時間及び形状を提供する。適当の電源の一例は、２００１年３月１日付け出願の同時継続出願シリアル番号第０９／７９７，５０１号において提供される。装置Ｄの光学的配置は、最小限の光の損失、及び、反射板３及び導波管の壁に対する最大限の反射率を与える。そのため、ランプからのエネルギーの利用の最大効率が得られ、該装置のコストが最低となることを可能にする。皮膚から反射した光子は、導波管５を通って装置Ｄへと入り、反射板３及び導波管５によって最大効率で皮膚に向けて戻され、その結果、皮膚１におけるターゲットの照射が高められる。これら光子は、一般に、最小のエネルギーロスでランプ２を通過する。これは、エネルギー利用効率を更に高め、必要なランプ出力を更に低減することを可能にし、従って、該装置のコストを削減する。
【００２６】
上述した光学系（光学システム）は、最小光子漏出（ＭＰＬ）の皮膚照射の光学系と時には称されるかもしれない。装置Ｄの光学系はまた、皮膚１の表面における光ビームのための比較的大きいスポットサイズ８、９と、表皮性損傷の可能性を下げるための皮膚面における光度の最大の均一性と、皮膚内部のターゲットの破壊のための最適な光分布とを与えるべきである。従って、該装置のパラメーターの定義において、１）皮膚に送られる光の望ましいスペクトルと、２）光ビームの空間的分布の最大の均一性を伴う皮膚面における光ビームの大きさと、３）皮膚内部の光の最適な分布と、４）皮膚に送られる光パルスの望ましい流束量、持続時間及び時間的（一時的）形状と、を与えるパラメーターを定義することが必要である。条件（１）〜（４）は、選択されたターゲット（血管、毛嚢、真皮等）及び患者の皮膚の種類に依存する。これらの条件は、皮膚におけるランプ光の分布と、選択的光熱分解（Anderson RR, Parrish J．；選択的光熱分解（Selective photothermolysis）：パルス放射線の選択的吸収による正確な顕微手術、科学１９８３；２２０：５２４〜５２６）の理論、及び選択的光熱分解（Altshuler G.B., Anderson, R.R., Zenzie H.H., Smirnov M.Z.：選択的光熱分解の拡張理論、外科及び内科におけるレーザー２９：４１６〜４３２，２００１）の拡張理論とを考慮に入れたと考えられる。
【００２７】
図１ａ及び２ａは、与えられたランプからのより大きい流束量が望まれると共に、より小さいスポットサイズが望まれるか又は少なくとも受け入れられる使用に適した本発明の別の実施形態を示す。そのよのな結果は、例えば、処置が深い深度であるよりも処置が浅い深度である場合、受け入れ可能であろう。望ましい結果は、導波管５の代わりに集信機導波管５’を使用することにより達成される。導波管５’は、導波管の皮膚接触面が導波管の光受け側部よりも小さくなるように内側に角度が付く壁を有する。しかしながら、直線状の壁の導波管５がその中における光子の実質的総内部反射を有する一方、集信機導波管５’の角度付きの壁は、これらの壁すなわち面を通るいくらかの光子漏出を許容する。この漏出の結果としての光子損失を防ぐため、反射板３''が、各壁に隣接して、例えば該壁上に被覆されて設けられる。該反射板は、例えば９５％以上の高い反射率を有する。導波管漏出問題の認識と反射板３''又は同等の外部反射板の使用は、新規であり、本発明の一部であると考えられる。
【００２８】
図２ａはまた、この実施形態の別の新規な特徴を示し、これは、ランプ２が望ましいスポットサイズの全長よりも長いものであり得るという事実を補償する。通常、これは、光子漏出及び光子損失をもたらすであろう。しかしながら、図２ａにおいて、反射板３’が反射板３と導波管５’との間の隙間に設けられ、この反射板は、ランプの端部からの光線すなわち光子８３を、導波管５’を通って患者の皮膚に結びつけるのに有効である。従って、この実施形態は、集信機導波管の使用によって実現した流束量改善においてほぼ５０％の向上をもたらす。
【００２９】
皮膚におけるランプ光の伝播及び吸収
レーザー光に対するランプ光の皮膚における伝播及び吸収の違いは、少なくとも部分的に、それらの選択された範囲の違いからもたらされ、ランプスペクトルは非常に広く（２００〜１０００ｎｍ）、これは、レーザー放射のスペクトル範囲の数千から数万倍広い。ランプ源の角度のあるスペクトルは、±１８０°程度の広さであり得る。これは、レーザー放射の角度のあるスペクトルよりも数百から数千倍広い。そのため、皮膚におけるランプ光の伝播及び吸収は、レーザーのそれとはかなり相違する。ＵＶ範囲近傍、可視範囲及びＩＲ範囲近傍において、水、ヘモグロビン、オキシヘモグロビン、メラニン、脂質及びタンパク質の吸収、並びに、ドーパント（カーボン粒子、有機及び無機色素の分子）の吸収は、皮膚の光学的／光治療処置のために使用され得る。図３において、スペクトルは、主要天然皮膚構成要素、すなわち、１２−水、１３−動脈血（９５％のヘモグロビン、５％のオキシヘモグロビン）、１４−静脈血（６５％のヘモグロビン、３５％のオキシヘモグロビン）、１５−フェオメラニン（赤毛）、１５’−ユーメラニン（黒毛、表皮）、１６−皮膚の低減した散乱係数に対し示される。図４において、平行な広い光ビームの三回の減衰が波長の関数として生じる深度依存性が、異なる種類の皮膚（１７−白人ブロンド、１８−白人ブルネット、１９−日本人、２０−インド人、２１−ムラート、２２−アフリカ系アメリカ人）に対し示される。
【００３０】
図５において、光パルスの異なる持続時間及び等しいエネルギーに対する典型的なアークランプ発光スペクトル（総エネルギーの小部分を含む発光性帯域なしで）が示される。これらのカーブは、次のパルス持続時間、２４−１ｍｓ、２５−５ｍｓ、２６−２０ｍｓ、２７−５０ｍｓ、２８−１００ｍｓ、２９−２００ｍｓ、３０−５００ｍｓをもつ、４５０トルの圧力下でＸｅで満たされた５ｘ５０ｍｍ放電ギャップを有する同じランプに対し得られた。異なるパルス持続時間は、ランプの異なる色温度に対応し、該ランプは、ランプ発光スペクトルの形状を決定する。従って、図５から理解され得るように、パルス幅の変更は、出力スペクトル及び色温度の両方を移し変えるのに使用され得る。図３、４及び５から理解され得るように、ランプのスペクトルは、皮膚における全ての発色団の吸収帯域をカバーする。そのため、該ランプは、全ての皮膚発色団に対し使用され得る。しかしながら、最適な処置及び光エネルギーの利用を実現するために、ランプの色温度、スペクトルフィルタリング、導波管の出力におけるビームのサイズ及び発散（広がり）、光パルスの強度、流束量、持続時間及び時間的形状の適正な組合せを与えることが必要である。これらの条件は、療法の種類に強く依存する。本発明において記述した装置は、皮膚の美容特性に影響を及ぼす主に美容処置及び皮膚科問題の処置のためのものであることを企図する。
【００３１】
これらの処置のうち、次のものは、特別な関心がある。すなわち、発毛の管理と、血管障害及び色素性障害の処置と、皺の減少／皮膚の若返り、きめの粗さ、低弾力性、不規則な色素沈着、炎症性座瘡及びセリュライトの低減を含む皮膚構造の改善とである。
【００３２】
発毛の管理
毛球に対する実質的な局部（選択的）損傷が生じると、発毛の停止又は遅延、及び毛のサイズの縮小及び色素沈着の低減が起こり得る。逆に、毛基質の非常に軽い損傷は、発毛及び色素沈着を加速することができる。膨れのレベルの外側根鞘に位置する濾胞幹細胞に対する損傷は、永久的な毛の抜けをまねき得る。永久的な毛の抜けは、濾胞（毛嚢）組織が結合組織によって完全に又は部分的に置き換えられるように毛嚢を囲む真皮が損傷を受けた場合、すなわち、微小の傷あとが該濾胞の所定部に発生する場合にも起こり得る。光脱毛は、毛基質又は毛幹に含まれるメラニンによって吸収された光の結果としての濾胞の加熱によって引き起こされる。メラニンの最大密度は、皮膚表面から２〜５ｍｍの深さにおける真皮又は皮下脂肪の内部にある毛基質内である。従って、発毛の管理を提供するため、第１の損傷ターゲットは、毛球と、皮膚表面からほぼ１〜１．７ｍｍである毛球の深さにおける幹細胞であり、第２の損傷ターゲットは、２〜５ｍｍに位置する基質である。発毛管理における重要な問題は、上に重なる表皮を保全することであり、これもメラニンを含んでいる。図３、４、５から、毛嚢（濾胞）の選択的損傷を与えるため、放射線スペクトルは、３６０〜２４００ｎｍであるべきであることが分析され得る。スペクトルの短波長部分は、ＤＮＡを含むタンパク質の起こり得る損傷によって制限される。上方の波長は、強い水吸収によって制限される。メラニンの効果的な吸収は、３６０〜１２００ｎｍの範囲で起こる。しかしながら、スペクトルの１２００〜２４００ｎｍ部分の完全な遮断は、深く浸入した赤外光が水に吸収されて、毛嚢の付加的であるが選択的ではない加熱を与えるので、望ましくない。この場合、１．４μｍ付近及び１．９μｍ付近の水吸収帯域（図４参照）に近いスペクトル成分は、これらの波長が表皮に吸収されて、その過熱を引き起こし、患者の痛み及び潜在的な表皮破壊をまねき得るため、放射線スペクトルから除去されるべきである。これらの波長を取り除くための最も良い方法は、「水」スペクトルフィルターとして水を用いることである。装置Ｄ（図１、２）において、フィルタリング水は、ランプ２と管４との間の間隙７に配置される。フィルタリングをもたらすためにこの水にとって適当な厚さは、０．５〜３ｍｍの範囲内であると推定される。メラニンによる吸収が基本的に３６０〜８００ｎｍの範囲内であるので、ランプの色温度Ｔc＝３０００〜１００００°Ｋ内であるべきである（図５）。短波長のフィルタリングは、皮膚の種類によって決定される。図６ａ、６ｂにおいて、固定されたランプ噴出エネルギー下の短波長遮断フィルターの波長における、基底層（３１）の温度に対する毛基質（３ｍｍ深さ）温度の比率の依存性、及び、基底層（３２）の温度に対する膨れ（１ｍｍ）の深さにおける毛幹温度の比率の依存性が示される。血液が真皮内の小血管から除去されている押し付けられるか又は冷却された皮膚に対する上記同様の依存性がドットカーブ（３３、３４）によって示される。図６ａから、白い皮膚の場合、短波長放射の使用が幹細胞破壊の効率を実質的に高め、また、該皮膚の押付け又は冷却が毛基質に対し同様の結果をもたらすことが理解され��。この場合、表皮における熱作用は高まるが、絶対値は色素性の毛幹及び毛基質におけるよりも低下する。強着色性皮膚（図６ｂ）において、短波長遮断は高められるべきである。図６ａ、６ｂに表された依存性は、異なる種類の皮膚にとっての短波長放射線のフィルタリングの要求を示す。このデータは表１に表される。
【００３３】
図７ａにおいて、Ｔc＝５０００°Ｋ下のランプのスペクトル（３５）及びフィルタリング後のスペクトル（３６）が表される。このスペクトルは、褐色から黒色の毛を有するムラートの皮膚における処置に対し最適化される。このスペクトルにより、範囲が定められたランプパルスのエネルギーに対し、表皮の過熱を伴わない毛基質の最大加熱が達成される。スペクトルの上方の又は遠い波長は、間隙７内の１ｍｍ厚の水フィルターで取り除かれる。
【００３４】
図７ｂにおいて、フィルタリング前（３５）及びフィルタリング後（３６）のＴc＝６０００°Ｋのためのランプのスペクトルが表される。このスペクトルは、深い（０．３〜１．０ｍｍ深度）血管の処置に対し最適化される。図７ｃにおいて、フィルタリング前（３５）及びフィルタリング後（３６）のＴc＝３０００°Ｋのためのランプのスペクトルが表される。このスペクトルは、水吸収により、コラーゲンの処置のために最適化される。
【００３５】
図７ａ〜７ｃに示されたスペクトル３６はそれぞれ、ランプのプロファイルドスペクトル（profiled スペクトル ofランプ(ＰＳＬ）)と称されるであろう。該ランプのスペクトルは、表皮の過熱を伴わないターゲットの最大加熱を与えるため、短波長及び遠い波長の両方又は長波長が減衰（プロファイルド）される。この条件は、いくつかのフィルター（処理）帯域（表２〜４におけるスぺクトル参照）を要求することができる。与えられた処置にとって最適なＰＳＬは、ランプの出力スペクトルから一般にフィルタリングによって得られる一又は複数の波長帯域であり得る。該（一又は複数の）帯域は、表皮の温度上昇に対するターゲット（毛幹、基質、血管、静脈、色素障害、入れ墨等）の温度上方の比率が、ある数字Ｓより大きいように選択される。該数字Ｓは、該処置に対する安全性のレベルに依存する。数字Ｓが大きくなるほど、安全性のレベルが高まる。ランプの効率を最大にするためには、Ｓは約１であるべきである。
【００３６】
ビームの寸法範囲も重要である。拡大しているビームサイズ及び表面における一定の強度（流束量）では、ビームのいくらかの横断方向寸法がひとたび実現したら、深さでの光の強度（放射照度）は増加しかつ飽和することが知られている（図８参照）。
【００３７】
この寸法範囲が拡大する場合、表皮の照度に対する深さ３〜５ｍｍ（ここに毛球が位置する）での照度の比率が最大に達し、従って、表皮損傷／破壊の最小リスクで毛球又は幹細胞における最大温度を与えることを可能にする。
【００３８】
図８は、色温度Ｔc＝６０００Ｋと、図１、２に示された装置Ｄによって形成されたビームのサイズにおける適正なＰＳＬとを有するランプに対する、ターゲットと同じメラニン密度を有する基底層Ｆepiでの熱生成に対する深さ１ｍｍ（Ｆ＝１ｍｍ）（カーブ３７）及び深さ３ｍｍ（Ｆ＝３ｍｍ）（カーブ３８）での皮膚のメラニンターゲットにおける熱生成の比率の依存性を示す。ビームの長さ９は固定され、４５ｍｍに等しい。通常、この長さは、ランプ放電（電極）ギャップの長さによって制限される。ビームの幅は、１〜４５ｍｍの範囲内で変えられる。図８は、皮膚中の深いターゲットでは、ビームの幅は、１０ｍｍ以上（最小ビーム幅ｄ＝１０ｍｍ）であるべきである。幅８が１５ｍｍを超えた場合に最も良い結果が成し遂げられる。
【００３９】
幅広ビームの第２の利点は、深さでの毛嚢の照度の均一性である。１０ｍｍより小さい幅のビームでは、深さでの分布が鋭い最大のガウス形状を有する。そのため、皮膚に沿って走査する際、ビームの大きな割合のオーバーラッピング（重なり）が該毛嚢の均一な照射にとって必要である。これは、処置速度の相当な低下、エネルギー利用効率の低減、及び、処置費用の増長をまねく。更に、不均一なオーバーラッピングにより濾胞（毛嚢）を「外す」可能性、及びそのため、外した毛の急速成長の可能性は、依然として存在する。１０ｍｍ（カーブ３９、４０）及び１６ｍｍ（カーブ４１、４２）のビームに対し、装置Ｄによって作り出された光度の分布が図９に示される。カーブ３９及び４１は、表面における分布を示し、カーブ４０及び４２は、深さでの分布を示す。図９は、１０ｍｍ幅のビームの均一なオーバーラッピングが、少なくとも２７％のオーバーラッピ（図９）を必要とするのに対し、１６ｍｍ幅のビームには、１５％のオーバーラップだけが必要であることを示す。
【００４０】
より幅広のビームの第３の利点は、図１、２に示されるようなＭＰＬ光学システムを有するランプベース装置において明らかになっている。上述したように、これらＭＰＬシステムでは、表面から反射した光子が皮膚へと戻され、ランプエネルギーの利用効率を高める。この効率は、ＭＰＬ光学システムを有する該ランプベース装置の光子の漏出が非常に低いならば、皮膚内部の照射を３倍まで高め得る。しかしながら、ビームのサイズが拡大したら、それはより大きくなる。図１０は、図８の場合と同じ条件でのビームｄのサイズにおいての、皮膚から反射された光子のリターンによって引き起こされる皮膚照射増幅ｇの依存性４３を示す。図１０は、ビーム幅が１０ｍｍより大きいならば増幅の効果が得られることを示す。従って、毛の処理の用途に対するビームの最小寸法は、好ましくは約１０ｍｍであり、１５ｍｍより大きいことが好ましい。
【００４１】
パルス持続時間及び時間的（一時的）形状の要求が、強度及び光の流れと同様に今度は考慮される。一時的な損傷又は成長の刺激を与えるため、濾胞の重要な部分は、発育相段階の毛嚢の毛球及びより重要な毛基質を含む。直径３０〜１２０μｍの成人の毛での毛基質の熱緩和時間は、０．６〜１０ｍｓの範囲内である（Altshuler G.B., Anderson R.R., Zenzie H.H., Smirnov M.Z.：；選択的光熱分解の拡張理論、外科及び内科におけるレーザー２９：４１６〜４３２、２００１年参照）。そのため、１０ｍｓまでの持続時間のパルスは、毛基質の加熱のため、毛基質の破壊又は発毛サイクルの切り換えにとって適当でかつ効果的である。毛乳頭は、微細結果における光の直接吸収により損傷を受け得る。しかしながら、濾胞の乳頭を損傷させるより良い方法は、毛基質から乳頭までの組織を損傷するのに十分な温度（６５℃〜７５℃）での熱的前部の拡散であり得る。時に熱損傷時間（ＴＤＴ）と称されるこの拡散のための時間は、上記した寸法の毛に対し１５〜２０ｍｓである。全濾胞組織のＴＤＴ、すなわち、毛幹又は毛基質から毛嚢の外側接合部までの熱的組織損傷の前部の伝搬の時間は、濾胞の寸法及び放射強度に応じて、ほぼ３０〜２０００ｍｓである。この場合、該強度は、毛幹又は毛基質のメラニンによる吸収をパルスの終端まで維持するため（すなわち、毛幹又は毛基質の破壊をパルスの間、防ぐため）に制限されるべきでる。
【００４２】
毛幹では、これは、２５０℃未満の温度まで該幹を加熱することに対応する。同時に、パルスは、濾胞の破壊のために該濾胞へとエネルギーを送るのに十分長くあるべきである。従って、最適なパルス持続時間は、全体として濾胞組織のＴＤＴである。毛嚢のＴＤＴ（３０〜２０００ｍｓ）は、表皮における吸収層の熱緩和時間（３２０ｍｓ）よりも本質的に長い。ＴＤＴ持続時間を持つ長いパルスが使用される場合、表皮の温度は、表皮を損傷する危険性なしにより多くのエネルギーが濾胞に適用され得るように、冷却により低下されなければならない。長いパルスの効果は、いくつかの短いパルス（１０ｍｓまで）から成る列では正確に模擬実験できない。その理由は、該短いパルスのピーク強度が、毛嚢における発色団を破壊するか又は表皮を損傷するのに十分高いものであり得るからである。パルスの一時的形状も重要である。従って、該パルスの形状は、表皮の性質、毛の直径及び長さの分散（ばらつき）、毛幹色素沈着及び冷却に依存する。
【００４３】
図１１において、毛嚢の破壊に用いられる三つの主要なパルス形状が示され、該形状は、これら三つの要因に依存する。これらのパルスは、プロファイルドパルス（ＰＰ）と称される。カーブ４４は、前部τf持続時間及び立下がり縁持続時間τrのランプパルスの形状である。ここで、τf＜τrである。持続時間τfは、表皮の熱緩和時間（ＴＲＴ）よりも相当長いが、ターゲットのＴＤＴよりはずっと短いべきであり、ＴＲＴ＜＜τf＜＜ＴＤＴであるべきである。持続時間τrは、ＴＤＴとほぼ等しいべきである。パルス型４４によって与えられる加熱モードは、ターゲット（毛幹又は毛基質）における発色団の、最大温度までの急速な加熱を許容し、ここでは、発色団は、依然として漂白されずに存続でき、次いで、これらの温度を維持する（すなわち、発色団を過熱しない）。発色団（毛幹又は毛基質）の該温度は、従って、ほぼ一定に保たれ、これは発色団破壊の温度に近い。パルス温度は、実質的に均一な形状を有する。
【００４４】
最大温度までの毛幹又は毛基質の急速な加熱を伴う形状４４のパルスでは、周辺組織の変性及び散乱の増加により吸収効率が高まる。発色団及び周辺組織の炭化も起こり得、吸収の向上をもたらす。表皮の事前冷却が行われる場合、表皮の温度及び周辺組織（接触クーラーを含む）の温度は低く、パルスの前部による加熱効果を部分的に補償する。更に、パルスの前部による加熱の間にτf＜＜ＴＲＴとなり次第、周辺事前冷却組織への熱の漏出のため、表皮は冷却される。パルスの縁でのパワーの減少は、該パルスの縁での皮膚へのエネルギー入力の間における加熱に対し、表皮を保護する。この場合、導波管を用いる平行した冷却が特に効果的である。
【００４５】
準均一パルスのカーブ４５は、パルス立上がり持続時間τf及び頂部が平らな持続時間τmを有する。頂部におけるパルスのパワーは、パルス端部の近くでのみτm≒ＴＤＴが実現され、かつ、発色団の吸収が減少する直前に発色団の温度が最大値に達するように選択される。カーブ４５のこの加熱モードは、より小さいパワーであるがより長いＴＤＴと、より大きい総エネルギーとを必要とする。このモードの利点は、カーブ４４によって記述したモードと同程度に強力な事前冷却を必要とせず、電源１０の出力パワーが最小化され得ることである。
【００４６】
カーブ４６は、長い立上がり時間τ1の光パルスと、持続時間τ2の短くより高いパワーの端部パルスを記述する。そのようなパルスは、高分散の色素沈着及び大きい直径の毛を有する患者の処置にとって最も効果的であり得る。この場合、強吸収の濾胞が最初に損傷を受け、パルスの端部において、より高いパワーを要する低吸収の濾胞が傷付けられる。形状４６の光パルスは、持続時間τ1でのパルスの前部の事前加熱効果により、効果的であり得る。この場合、間隔τ1（０．１〜５s）において、ランプの温度は低く、かつ水吸収の範囲内で多くのエネルギーを放射する。そのため、この段階で、表皮及び真皮（そこに毛球が位置している）の事前加熱が起こり、表皮の温度は、導波管５による平行した冷却により、低く保たれる。ほぼＴＤＴだけ続く段階τ2の間、ターゲットの損傷が生じ、一方、ターゲットの温度は４５〜６０℃であり、損傷はわずかなエネルギーを必要とする。光パルス４４、４５、４６の前部及び縁部を記述する関数は、段状、線形、二次、指数又は他の同様の関数であり得る。表１において、提案した装置を使用する毛の処理のモードが表される。これらのモードは、最適なエネルギー利用及び望ましいコストを考慮に入れた数値的最適化に基づいて得られる。
【００４７】
血管障害
記述した装置は、フィルター処理したランプスペクトル、パルス持続時間及びパルス形状の慎重な最適化による血管障害の処置に最も効果的である。表層部の血管障害の処置では、ビームの大きさはあまり重要ではない。深い静脈の処置では、ビームサイズにおける要求は、上記で考察した毛の処理の場合と同じである。スペクトルの最適化に対する判断基準は、上記と同様である。しかしながら、図３に示されるヘモグロビンのスペクトルは、考慮されるべきである。白い皮膚では、ＰＳＬは青色光を含むことができ、該青色光は、血液に非常に効果的に吸収され、また、黄色スペクトルよりも低いエネルギーを必要とする。青色光の使用は、該装置をより効果的なものにする。パルスの持続時間及び形状は、内皮の熱的壊死が生じるとすぐに血管壁の熱的損傷を引き起こすように選択される。該パルスのパワーは、ＴＤＴの間、６５〜７５℃の範囲内の温度で決して１００℃を超えない温度に保つのに十分であるべきである。パルスの形状は、図１１に示される三つの形状から選択される。それは、毛の処理の場合と同じ方法で形成され得る。選択的な表皮の冷却の適用は、短波長範囲におけるよりも幅広のランプスペクトルが使用されることを許容し、ランプエネルギーのより高い効率を与える。表２（表在性クモ状静脈、酒さ、叢、ポートワイン母斑、ゲマンジノマ（gemanginoma）等）、３（より深い静脈、供給血管）及び４（深い大きな足の静脈）において、上記の装置を使用する、異なる深さに位置する血管障害の処置のモードは、数値的最適化に基づいて表される。表２、３に示されるように、血管の処置のための最適なＰＳＬは、一つ、二つ（図７ｂ）、又は三つの帯域を含み得る。
【００４８】
色素性障害
記述した装置は、異なる色素性障害の処置に使用され得る。色素性障害は、通常、５０〜３００μｍの深さにあり、そのため、ビームのサイズは本質的ではない。放射線のスペクトルにおいて、メラニンによって吸収され得るＵＶ放射線を含む全ての成分が存在し得る。パルスの持続時間は、色素性障害又はランプ放射が侵入する層厚に対しＴＲＴの最短時間未満であるべきである。いくつかの色素性障害処置は、組織周辺の層を傷付けることを必要とする。この場合、パルスの持続時間は、全てのターゲットのＴＤＴ未満であるべきである。冷却は、痛み作用及び水ぶくれの危険を低減するために使用され得る。表３において、上記装置を使用する色素性障害の処置のモードは、数値的最適化に基づいて示される。高度な（大変な）色素沈着及び／又は深いところの障害は、より赤い方のスペクトルによって処置され得る。低色素沈着及び／又は表在性障害は、より緑か又は青いスペクトルによって処置され得る。
【００４９】
同様のパラメーターは、入れ墨処置に使用され得るが、この処置に対する最適ＰＳＬは、ランプスペクトルによってフィルター処理された一又はいくつかの波長帯域であり、これに対し、表皮の温度上昇に対する入れ墨粒子又は乾燥組織の温度上昇の比率は１以上である。
【００５０】
皮膚の若返り
皮膚の限定された損傷は、損傷組織の新しい組織による取り替えを刺激し得、また、皮膚の美容特性を改善し得る。上記装置は、この目的、すなわち、乳頭の及び細網の真皮における組織及び周辺血管、色素性基礎膜、及び真皮におけるコラーゲンを損傷するために使用され得る。この最初の二つの場合、処置モード及び該装置のパラメーターは、血管障害及び色素性障害の処置に対して上述したものに近いものであるべきである。真皮のより深い層（１００〜５００μｍ）に損傷を与えるため、皮膚表面の冷却と組み合わせて水の吸収が使用され得る。この場合、ランプの色温度は低くあるべきであり、スペクトルフィルターは、水によって非常によく吸収されるスペクトル成分を選択するべきである（図７ｃのＰＳＬ参照）。表６において、ある深さ（１００〜５００μｍ）での真皮の損傷による皮膚若返りのモードは、数値的最適化に基づいて示される。皮膚若返りのため、プロファイルドパルス（ＰＰ）（図１１）が用いられる。従って、カーブタイプ４４のＰＰは、真皮の薄い層にとって最適である。カーブタイプ４５のＰＰは、より深い層の破壊に最適である。カーブタイプ４６のＰＰは、水の吸収による真皮の損傷と、基底層付近にある血管及び真皮の破壊とを組み合わせるために使用され得る。この場合、カーブ４４に従うパルス照射は、装置出力スペクトルの切換え（スイッチング）と組み合わされ得る。持続時間τ1のカーブ４４の長い部分において、ランプのパワーは低く、スペクトルは水吸収の範囲へと移される。パルスτ2の短い部分において、該パワーは急速に高められ、スペクトルの最大は、可視又はＵＦ範囲に向かって動く。持続時間τ2は、薄い血管のＴＤＴ（０．１〜１０ｍｓ）及び真皮の薄層のＴＤＴ（１〜２０ｍｓ）より短いものであり得る。スペクトルの切換えを与えるため、伝播が制御された追加のスペクトルフィルター又は伝播スペクトルがランプのパワーに依存する非線形スペクトルフィルターが使用され得る。
【００５１】
新しいコラーゲンの成長はまた、乳頭真皮における小血管の周囲の炎症反応の結果として実現され得る。この場合、処置パラメーターは、表２のものと同じである。この処置モードは、上述したコラーゲン成長を成し遂げるモードに加えられるか、又はそれに代えられ得る。
【００５２】
座瘡処置
尋常性座瘡は、最も普通の皮膚病の一つであり、皮脂腺及び座瘡細菌の活動過多に関連する。ランプ放射は、細菌成長を低減するため、及び、皮脂腺構造の一時的な又は恒久的な損傷のために使用され得る。細菌成長を減じるため、光力学的効果が、細菌に寄与するポルフィリン上に使用され得る。ポルフィリンは、赤色からＵＶ範囲までの変調された広い吸収スペクトルを有する。最適な処置モードは、利用されるスペクトルバンドがポルフィリンの吸収スペクトルに適合するように選択され、スペクトル範囲が３４０〜１２００ｎｍのＣＤモードにおけるランプ光による座瘡の長期（１〜３０分）照射である。細菌（深さが０〜３ｍｍ）に送られる光の強度は、できるだけ高いものであるべきである。提案装置において、それは、照射と同時の表皮の集中的な平行冷却によって与えられる。従って、該冷却（−５〜＋５℃）により、乳頭真皮の血管における血液循環は低下し、青色及びＵＶ光に対する皮膚真皮の伝播は高められる。伝播の高まりはまた、導波管５によって皮膚に適用される圧力により達成され得る。
【００５３】
記述方法によれば、３４０〜９００ｎｍ範囲内で２０Ｗ／ｃｍ2までの強度のランプ放射を皮膚へと送ることが可能である。従って、スペクトルの短波長部分、例えば４１０ｎｍは、タンパク質によって激しく吸収されるが、この吸収は、０．５ｍｍまでの深さにおいて相当低減される。同時に、赤色放射は、タンパク質によって弱く吸収されるが、深さ１ｍｍでわずかに低減される。そのため、幅の広いスペクトルは、光力学的効果を介して細菌を傷付けるのに最も効果的である。
【００５４】
尋常性座瘡の処置の第２のそしてより効果的な機構は、皮脂腺の皮脂生成機能を低減することである。これは、皮脂細胞の破壊、又は皮脂細胞及び栄養基質を供給する血管の凝固によって実現され得る。皮脂細胞の活動過多の期間中、血管網は、血液で満たされる。
The combination of a wide-band 広帯域（３４０〜２４００ｎｍ）光源と、水吸収帯域（１４００〜１９００ｎｍ）の範囲内の放射線を減衰させる水フィルタリングとの組合せ、及び、表皮の強力な冷却（−５〜＋５℃）及び皮膚の押付けと組合せは、皮脂腺に栄養を与えるクモ状静脈の選択的損傷を許容する。従って、パルスの持続時間は、これらの血管のＴＤＴと相互に関連があるべきであり、エネルギー密度５〜５０Ｊ／ｃｍ2に対し約１〜１００ｍｓであり得、該エネルギー密度は、増長するパルス長と共に大きくなる。皮脂腺を全体的に又は部分的に傷付けるため、皮膚表面と皮脂腺との間の直接拡散チャネルを使用することが可能である。このチャネルは、毛幹と外側根鞘との間の隙間によって表され、通常、皮脂によって満たされる。親液性物質特性を有する３μｍ未満の大きさの分子及び粒子は、この隙間を通って拡散し、皮脂腺に蓄積し得る。更に、これらの分子及び粒子は、ランプの赤色放射による皮脂腺の選択的な光熱分解に使用され得る。この目的のため、ランプ放射スペクトルは、フィルター処理部分が分子及び粒子の吸収スペクトルと同じになるようにフィルター処理を受けなければならない。例えば、有機色素分子、メラニン、炭素、ＰＤＴ効果を伴うフラーレン、プラズマ共鳴を伴うＡｕ、Ｃｕ、Ａｇ粒子は、粒子周囲の放射照度を高め得る。パルスの持続時間は、５０〜１０００ｍｓである皮脂腺の熱的緩和の時間よりも短いべきである。
【００５５】
強度及び流束量は分子又は粒子の密度及び吸光度に依存するが、これらは、表皮の損傷又は破壊の閾を超えないものであるべきである。そのため、表皮の冷却は、該破壊の効率を高めるために用いられ得る。皮脂腺への吸収分子又は粒子のより効率的な送出のため、これらは、親液性物質粒子と結合され得る。色素分子は、食用色素、ヘアカラー用染料その他の分子によって表され得る。粒子は、メラニン、炭素（例えば墨）等の粒子によって表され得る。フラーレンの分子（例えば、Ｃ60）は最も有効である。これら分子は、可視範囲における広帯域吸収スペクトルを有する。これらの分子の重要な性質は、光励起下の一重項酸素の発生である。一重項酸素は、皮脂細胞及び細菌を付加的に損傷し得る。皮脂腺内への吸収分子及び粒子の挿入は、皮膚の加熱、音声泳動、電気泳動、磁気泳動（粒子が電気モーメント又は磁気モーメントを有する場合）によって行われ得る。
【００５６】
毛嚢及び皮脂細胞内に挿入された粒子は、毛の処理のために用いられ得る。この場合、表皮に対する毛嚢の吸収における対比は増長され得る。これは、色が薄い毛／灰色の毛及び高色素性（ひどく色素沈着した）皮膚の処置をより簡単にし、また、いっそうの永久脱毛を与える（すなわち、吸収粒子又は分子は、膨れに近い領域へと容易に送られ得る。）。皮脂腺はまた、該腺対周辺真皮の比熱の選択性を利用することによって破壊され得る。この選択性は、該腺における高濃度の脂質による。従って、該腺は、高い水／脂質吸収及び深い透過、例えば０．８５〜１．８５μｍであって、１〜３ｍｍ水フィルター及び皮脂腺の深さまでの（０．５〜１ｍｍ）の真皮の選択的冷却によって、水吸収の強ピーク周囲１．４μｍをカッティング／フィルタリングしたものを伴うスペクトルの帯域を使用することによって加熱され得る。
【００５７】
上記に基づき、図１、２に示された装置Ｄのための好ましい構成要素は、次に考慮される。
【００５８】
ランプ
図１に示された装置のランプ２は、不活性ガスＸｅ、Ｋｒ、Ｎｅその他に基づくガス放電灯、ハロゲン化金属ランプ、高圧ナトリウムランプ、蛍光灯、ハロゲンランプ、白熱灯等であり得る。該ランプは、直線管形状を有する。他のバリエーションは、Ｕ字形状又はリング形状を含む。ランプの寸法は、装置出力パラメーターに基づいて選定される。直線管状ランプの場合、出力ビームの最適な形状は、矩形ａ×ｂである。放電（電極）ギャップの長さ、すなわち、電極間の距離１は、一の矩形寸法ｂと等しいか又は大きいように選択される。ランプの内径は、最小限にされるべきであるが、ランプの所与の寿命Ｎを提供するのに十分なものであるべきである（ここで、Ｎ＝ランプ作業サイクルの数）。最小ランプ径は、皮膚に対する放射エネルギーの移送のための最高の効率を与え、ランプ内における吸収による光の喪失を最小にする。ランプ内部の光の最小限の吸収は、皮膚からの戻り反射光の効率を高める。低いパルス繰返し率では、ランプは、間隙７内のガスによって冷却され得、また、高い繰返し率及び高平均電力では、間隙７内の液体による。ランプ管は、不要なスペクトル成分を吸収するイオンを含み得、また、これらの成分を望ましいスペクトル範囲に転換し得る。これを実現する最適な方法は、コーティングでは、不要な放射線を反射してランプに戻すことである。これは、プラズマにおける反射された成分の付加的吸収により、望ましいスペクトル範囲におけるランプの効率を高める。
【００５９】
反射板
反射板３は、種々の形状を有し得る（図１３）。最大反射板効率を与える主要条件は、次の通りである。
１．わずかな反射を与えるか又は全くない反射板の構成要素の面積の合計に対する有効な反射を提供する反射板の構成要素の面積の合計の比率は、最大にされなければならない。この条件を与えるため、反射の動作部分のための反射率は、スペクトルの動作範囲内における一に近づかねばならない。鏡面反射板のための最適な材料は、Ａｇ（可視又はＩＲ範囲）又はＡｌ（ＵＶ範囲）である。反射板は、ポリマーコート又は無機コートによって被覆され得、又は、該コーティングが、管４の外側もしくは内側又はランプ２上に被覆され得る。後述の場合において、管又は他の反射翼から延長する箔は、光子ロスを最小にするため、導波管へと伸長し得る。拡散反射板の場合、ＢａＳＯ4粉末が使用され得る。ランプの軸線に対し垂直な平面における低反射又は無反射構成要素の面積は、最小化されるべきである。この要求が満たされたなら、装置の設計はより簡易になり、反射板の冷却を避けることが可能となる。
２．鏡面反射板の配置構成は、反射板３からのランプ光の反射を、導波管へとつながれる前に、最小数にするべきである。この理由は、反射当たり約５％〜１５％の光子ロスがあるためである。そのため、反射数を低減するほど光子ロスが減る。反射数を減らす一つの方法は、一般に、反射板をランプ近くに移動することにより、反射板をできるだけ小さく保つことである。ランプの高い色温度の下では（Ｔ＞６０００Ｋ）、ランプ放電ギャップを横切って進行する光線の経路の全長も、ランプ内部での吸収によるロスを減らすため、最小化されるべきである。拡散反射板は、鏡面反射板よりも低効率であり、それは、より低い反射表面からの反射数が、最適な鏡面反射板に比べてより大きく、また、ランプ内部の光路の全長がより長いからである。しかしながら、拡散反射板は、反射居の低反射構成要素の面積が小さく、かつランプが低い色温度を有する場合、高効率を有し得る。これらの条件では、該装置の出力における角スペクトルが最も幅広となる。そのため、この反射板は、皮膚への深い浸入を要求しない場合、例えば肌の若返り及び色素性障害に対し使用され得るが、深いクモ状静脈には使用されない。この装置のための鏡面反射板は、結像又は非結像であり得る。結像反射板は、最小サイズのスポットに対し、特に放出源の寸法が小さい場合、ランプ光を集中させるのに有利である。しかしながら、放出源の寸法が大きい場合、結像反射板は不利であり、それは、ラジエーターがハンドピース内に配置されるからである。これら反射板のコストも高い（すなわち、それらは、格段に高品質の反射板構成要素を必要とする）。
非結像反射板は、より低い効率である。しかしながら、それらは、より安価で、寸法がより小さく、また、大きなスポットサイズに対しより均一な照射を供給することができる。表５において、図１３に示された異なる鏡面反射板に対する効率値が表される。ランプの寸法は５×５０ｍｍであり、ランプにおける平均吸収は０．１ｃｍ-1（Ｔc＝６０００Ｋ）であり、また、反射板の反射率は０．９４である。ランプ２の中心と導波管入力との間の距離は、ｈ＝７．５ｍｍである（１３ａ、１３ｃ及び１３ｌに示された反射板を含む）。表５から理解され得るように、表示された反射板は、１２％の範囲内で相違する。反射板の効率の向上は、電極とランプ冷却のための間隙とがある反射板表面に衝突するランプ光線数を減らすことによって達成され得る。この仕様を提供するため、反射板の軸方向断面（図１４）は、その中心がランプの中心にある湾曲面（球、放物線、楕円）、又は台形として表され得る。しかしながら、これは、構成のコストを高める。簡易かつ効率的な構成は、図１３ａ又は１３ｂに示された反射板である。この反射板において、反射面は、単純な円筒形状を有し、また、ランプエンベロープ又は管４の面と組み合わされ得る。第１の場合、ランプ及び反射板の冷却は、反射板外部で行われ得、第２の場合、管内部で行われ得る。更に、電極が一般に無反射なので、これらは、光子ロスの主要原因であり得る。一つのオプションは、ＲＦ又は他の適当な技術によって充電又は励起される電極の無いランプを使用することである。別のオプションは、高反射の材料から成る電極を使用することである。
【００６０】
導波管
導波管は、記述装置において次の機能を有する。
１．反射板３と皮膚１との間の光学的接合（すなわち、最小ロスでの皮膚への及び戻りのランプ光及び反射光の移送（透過率））
換言すれば、最小光子漏出の光学システム（光学系）が提供され、導波管はまた、光子の戻り又はリサイクルからもたらされる皮膚照射の増加の主要要因である。
２．固定スポット寸法による皮膚表面における均一な照射の生成
３．表皮保護のための皮膚の冷却
４．光透過率の向上及びより良好な熱的及び光学的接触のための皮膚の押付け
５．レーザー又は光の超発光変換
６．皮膚の性質に依存する皮膚へ送られる光のパワーを制御するための皮膚からの光反射率の測定
７．患者の安全性を高めるための皮膚のランプからの付加的な機械的及び電気的分離（遮断）
導波管５は、矩形角柱（図１）、裁断角錐（図１５）又は複合曲率裁断角錐（図１６）の形態であり得る。コーティングのない矩形角柱では、屈折率は、ランプから皮膚へのロスのない放射線の移送のためには、条件ｎ＞１．４（ｎは導波管の屈折率）を満たさねばならず、皮膚から反射した光子の皮膚へのリターンのためには、条件ｎ＞１．７を満たさねばならない。従って、ランプ２又は管４と導波管６との間に空隙が設けられるべきである。皮膚表面への均一な照射及び最小の光子ロスを与えるため、管４と導波管間の空隙は最小の大きさであるべきである。ランプと導波管との間の点接触が可能であり得るが、起こり得るランプの振動が、これを、それほど望ましくないオプションとする。
【００６１】
図１７において、皮膚照射の不均一性の導波管の長さへの依存性（ランプの寸法５×５０ｍｍ、導波管の横断寸法１６×４６、導波管の屈折率１．７６）が表される。導波管５は、皮膚表面における流束量の強度の向上のため、裁断直角錐（図１５）又は裁断湾曲角錐（図１６）角柱の形態であり得る。該湾曲裁断角錐は、矩形スポットの対称四角形又は円への変形をも許容する。エネルギー密度の集中の最大値は、導波管におけるロスが高くなく、かつ、出力開口に対する四角形の入力開口の比率が最大の場合、実現される。
【００６２】
導波管におけるロスが５％までに制限されるなら、最大集中（最大密度又は最大集光）（すなわち、直角柱（図１）による皮膚表面におけるエネルギー密度に対する裁断角錐（図１５）による皮膚表面におけるエネルギー密度の比率）は、二次元において定義される角錐のある角度に対し実現される。この角度は、長軸では１７°に等しく、短軸では３．８°に等しい。
【００６３】
導波管の長さは、導波管の吸収ロス及びハンドピースの寸法によって制限される。Ｈ＝６０ｍｍ、Ａ＝４６ｍｍ、Ｂ＝１６ｍｍの導波管の長さでは、直角柱と比較した裁断角錐による光の最大集中は、ｎw＝１．４５（クォーツ）に対し１．９５に等しく、ｎw＝１．７６（サファイア）に対し２．３に等しい。Ａは、導波管の受光端部における長軸に沿う導波管の長さに等しく、Ｂは短軸に沿う長さに等しい。
【００６４】
導波管によって皮膚へと結びつけられる角スペクトルの幅、管４と導波管との間の間隙に入れられた媒体の屈折率、並びに、角錐の角度に依存する。図１７において、表面近くの皮膚における装置（図１）からの角放射スペクトル（弾道（衝撃）光子）が表される。カーブ４７は、直角柱（Ａ＝４６ｍｍ、Ｂ＝１６ｍｍ、Ｈ＝１５ｍｍ）として形成されたサファイア導波管と、管４と導波管５間の間隙中の空気とを有する装置（図１２）の場合の、皮膚における弾道光子の角エネルギー分布を示す。カーブ４８は、同じ状態を表すが、管４と導波管５間の間隙は、屈折率がｎ＝１．４２に等しい透明物質で満たされる。カーブ４９は、裁断クウォーツ角錐（Ａ＝４６ｍｍ、Ｂ＝１６ｍｍ、ａ＝１１．６ｍｍ、ｂ＝２８ｍｍ、Ｈ＝５０ｍｍ）として形成された導波管の場合の弾道光子のエネルギーの角分布を表す。図１７から、導波管５を使用し、かつ、管と導波管間に配された物質の屈折率を変えることにより、皮膚内部の光子の角スペクトルを制御することが可能であることが理解される。周知の理論に従い、皮膚内部の光子の角スペクトルを変えることは、特に長波にとって、光の皮膚内への浸入の深さを制御する最良の方法である。極めて狭い角スペクトル及び最大浸入深度を達成するため、管４と導波管５間の間隙に空気で満たすべきであり、また、導波管は、直角柱又は「末広」裁断角錐５１（図１５）として形成されるべきである。面Ａ×Ｂは、ランプに向けられ、ａ×ｂは、皮膚と接触される。この形状は、毛の膨れ、毛球、真皮／下皮の接合部、皮下脂肪、深部静脈等といった深いターゲットの処置に最適である。最大角スペクトル及び皮膚に対する光浸入の最小深度を与えるため、管と導波管間のスペースは、１より大きい屈折率、好ましくは皮膚の屈折率と等しいか又はそれより大きいが導波管の屈折率より小さい屈折率を有する物質で満たされるべきである。角スペクトルは、収束裁断角錐５０として形成された導波管の適用により、付加的に拡張され得る。皮膚における放射が高発散でかつ低浸入深度である装置は、色素性障害、血管障害及び皮膚の若返りに対し使用され得る。
【００６５】
図１８は、皮膚の表面近くに最大密度のエネルギーを供給する反射管と組み合わされた最も簡易な導波管を有する装置を示す。この装置において、導波管５２は、管４の機能を円滑に実行するため、この導波管とランプ間に形成されている間隙７を変形する。反射板５３は、導波管に取り付けられるか、もしくは導波管上にコートされるか、又は別の方法で導波管上に形成される。導波管５２の表面上の反射板は必要である。この実施形態において、反射の広い角スペクトルのため、導波管接合部に全内部反射を与えることは不可能である。反射板５３は、誘電体導波管５２上の真空もしくはガルヴァニック金属コーティング（Ａｇ、Ｃｕ、Ａｕ、Ａｌ）として、又は反射コーティングを有する可撓性シートとして形成され得る。導波管とランプ間の間隙７内の液体又は気体の流れは、導波管５２及びランプ２の両方を冷却するために（及び導波管反射板５３を通じて）使用される。
【００６６】
導波管の重要な機能は、皮膚表面上に放射の均一な分布を与えることであり、これは、表皮の安全にとって重要なパラメーターである。照射の均一性は、導波管の長さの選定を補正することにより与えられる。導波管の長さＨに対する、皮膚表面５４における放射分布強度不均一性の典型的な依存性が、図１９に示される。該不均一性（ばらつき）Ｚは、Ｚ＝（Ｉｍａｘ−Ｉｍｉｎ）／２（Ｉｍａｘ＋Ｉｍｉｎ）で定義され、ここで、Ｉｍａｘは、皮膚表面上の最大エネルギー密度（パワー）であり、Ｉｍｉｎはその最小エネルギー密度である。より安全のためには、Ｚ＝０である。図１９から、この依存性が、増長するＨに対し、周期的な共振減少特性を有することが理解され得る。長さＨ≒Ｂの場合の短い導波管では、導波管の長さは、共振Ｈ１、Ｈ２、Ｈ３、Ｈ４に対する長さに近いべきである。Ｈ＞＞Ｂの場合、放射分布は、導波管の長さＨとは無関係に均一である。
【００６７】
皮膚へランプ放射の最大結合（結びつき）効率を与えるため、導波管５２の前面は、皮膚１と光学的に接触するべきである。これを与えるため、導波管は、皮膚に対し押し付けられ、また、導波管の出力平面と皮膚との間の０．２μｍ以上の全ての隙間は、屈折率ｎ＞１．２の液体で埋められるべきである。これらの隙間を最小にするため、接触領域における皮膚を拡張することが有益である。良好な光学的接触は、導波管５と皮膚１との間の良好な熱的接触を自動的に与える。特に骨に近い箇所において、又は、処置されている皮膚の下に堅い板がある場合、例えば、患者の歯又は歯の詰め物による放射線の吸収と、それによる患者の口唇が処置されている場合の歯の加熱とを防ぐため、患者の内側の唇と歯／歯茎との間の隙間に堅い反射板が挿入されて場合において、皮膚の導波管による押し付けは、皮膚内への光浸入深度の相当な増長を許容する。この効果は、圧力下の皮膚における散乱の低減、及び下にある血管からの血液の除去により実現される。既述したものが明らかに好ましい一方、皮膚に非常に近いが、皮膚との接触を要しない導波管により適切な光学接触を得ることができる適用が存在し得る。
【００６８】
皮膚上の圧力を高めるため、導波管の前面は、凸状面の形態（図２０ａ）に形成され得る。血管の処置が行われている場合、血管内の血液が通例、処置に用いられる発色団であるので、皮膚の押付けは一般に避けられるべきである。この場合、導波管の該面は、凹状面の形態（図２０ｂ）に形成されるか、又はリム５５（図２０ｃ）を有し得る。リム５５又は導波管の鋭い縁（図２０ｂ）は、処置範囲のいずれの側でも血管内の血流を阻止することができ、その結果、処置範囲内に流れない血液の集中をもたらす。
【００６９】
例えば図２０ｂ及び２０ｃの導波管はまた、扱われている血管を制御するために利用され得る。特に、皮膚の真皮表皮（ＤＥ）接合部の真下にある叢に細い、例えば１０〜３０μｍの血管の集結がある。これらの叢血管の下には、より太いがなお比較的細いクモ状静脈があり、クモ状静脈の下には、より太い血管がある。一般に、叢血管の処置は望まれない。しかしながら、これら血管における放射線吸収は、次に水ぶくれ及び痛みを引き起こす叢の不要な加熱をもたら得、またエネルギーを吸収し、処置が望まれる血管に到達する光子を減らす。そのため、これら叢血管から血液を除去するため、処置される血管を圧縮しないまま、叢血管が圧縮されること（及び／又は叢を冷却すること）が望ましい。図２０ｂの導波管又はリム５５（図２０ｃ）の凹部（くぼみ）は、該凹部の頂部が叢血管を押し、ここから血液を除去する一方、該凹部の縁が、処置が行われる血管を単に締め付け、血液をその中に閉じ込めるように選択され得る。導波管／リムのより深い凹部は、血液が例えばクモ状静脈からも除去されることを許容し、より深く大きい血管の処置を容易にするであろう。従って、導波管／リムにおける凹部の深さ及び適用圧力の両方を制御することにより、処置されている血管の深さが制御され得る。赤色又は青色光は、処置されている血管に応じて、血管中の血流を検出するため、及び従って、患者の皮膚に導波管によって適用される圧力を制御すべくフィードバックを供給するために使用され得る。図２０ａの凸状導波管では、圧力の制御のみが、処置されている血管の深さを制御するために使用され得る。適当な形状の導波管の使用による処置されている血管の深さのこの制御は、本発明の別の特徴である。
【００７０】
肌のきめの改善も、叢及び表面の乳頭真皮における小血管に炎症反応を作り出す該血管の加熱により達成され得、その結果、エラスチンの生成をもたらし、また、繊維芽細胞が新規なコラーゲンを成長させるように刺激する。この場合、リム５５（図２０ｃ）による処置領域を囲む皮膚の制御された圧縮は、小血管の血管新生及び処置の効率を著しく増長することができる。
【００７１】
導波管の出力縁又は出力面は、空間的不均一性を有し得る。この場合、皮膚の損傷は、不均一となる。該不均一領域の大きさは、５０μｍ未満であり得る。該不均一な損傷は、皮膚の若返り、又は血管障害もしくは色素性障害、入れ墨等に有益であり得る。その理由は、それが、皮膚の極度に激しい損傷、水ぶくれ、紫斑病等のピークを下げるためである。同時に、該損傷アイランドは、該損傷アイランド間の組織が損傷を受けていないのですぐに治り、そのため、細胞増殖を与えることができる。皮膚表面の不均一損傷を与えるため、導波管の面は、図２０ｄに示されるような調節された外形（波の形の側面／プロフィール）５６を有し得る。空間的マスク５８（図２０ｅ）、例えば平坦マスクも、導波管の前面に被せられ得る（反射マスク）。パターンインデックスバリエーション（フェーズマスク）も使用され得る。他の光学技術も、この目的を達成するために利用され得る。少なくとも提示されたいくつかの技術は、選択された処置スポットを設けるために光を再配分する。
【００７２】
導波管５は、レイジング導波管又は超発光導波管として製造され得る。この場合、ランプの波スペクトルは積極的に分布測定され、ランプの角スペクトルは、より深部へ光を送るため、狭められ得る。導波管５は、ランプ放射の範囲の吸収帯域及び望ましいスペクトル範囲におけるレイジング移行又は超発光移行を有するイオン、原子又分子によって充満（浸透）された材料から部分的に又は全体的に製造され得る。導波管面５９及び６０（図２１ａ）は、高精度で平行であるべきであり、これは、レーザー発生の最小ロスを与え（３０分より良く、好ましくは１０秒より良い）、また、導波管面５９及び６０は回折損を最小にする曲率を有するべきである。面５９及び６０はコーティングを有し、面５９上のコーティングは、レイジング波長又は超発光波長に対する１００％に近い屈折率と、望ましいスペクトル範囲、及びイオン、原子および分子吸収の範囲内におけるランプ放射に対する最小の屈折率とを有する。面６０上のコーティングは、レーザー発生（生成）に最適な値の屈折率を有する。レーザー発生の強度又は流束量を高めるため、導波管５は、二つの部品、すなわち、能動部品６１と受動部品６２（図２１ｂ）から成り得る。能動部品６１はドープされ、部品６２は、吸収性ドーパントを全く有しない。導波管は、いつくかの部品６１及び６２から成り得、又は、能動部品６１は、空間的選択性ドーピングによって形成され得る。高反射コーティング５９及び６０は、導波管の能動部品の縁にのみ形成され得る。更に、導波管の能動部品の屈折率は、レーザー放射に対する導波効果を実現するため、受動部品の屈折率よりも大きいものであり得る。ランプの放射は、導波管５に沿って伝播し、能動部品６１と何度も交差し、かつ、活性ドーパントを刺激（励起）する。導波管がいくつかの部品から成る場合、該発生は、該導波管よりも小さい断面を有する構成要素６１において起こる。そのため、該放射は、波スペクトル及び空間スペクトルを低減し、流束量を増やす。適当なレイジング材料は、Ｃｒ3+：Ａｌ2Ｏ3，Ｔｉ3+：Ａｌ2Ｏ3，Ｎｄ：ＹＡＧ，ＳｉＯ２：ローダミン（Rodamin）６Ｇ等を含む。従って、図２１ｂの実施形態は、ランプ及びレーザーの両方の組合せによる処置を提供し、導波管６１は、ランプ６２によって励起されるレーザーである。該組合せは、もし全導波管がレーザーから形成されたならば、望ましい処置のための十分な流束量がないであろうため、換言すれば、十分なゲインがないであろうため、要求される。図２２は、提案装置の放射線スペクトル６３を示す。この例において、ルビーとＮｄ：ＹＡＧから成る構成要素６１を有する能動導波管が使用される。この導波管は、波長が６９４ｎｍ及び１０６４ｎｍのレイジングを与えるコーティング５９、６０を有する。導波管の無いランプのスペクトル６４が比較のために示される。スペクトル６３は、深い静脈の処置にとって効率的であり得る。
【００７３】
光のフィルター処理
ランプの最適プロファイルドスペクトル（ＯＰＳＬ）は、ターゲットの処置によって決定される。最適な条件は、１）表皮の温度が熱的壊死の温度よりも低く、２）ターゲットの温度が熱的壊死の温度よりも高く、３）フィルターにおける光エネルギーのロスが最小である、ことである。ＯＰＳＬが鋭いカットオフを要求することが数学的に実証されている。図７ａ〜７ｃは、以下の上記条件の計算結果としてのＯＰＳＬを示す。図７ａは、ムラート皮膚／脱毛の場合、図７ｂは、白い皮膚／クモ状静脈処置の場合、及び図７ｃは、コラーゲン加熱を通じての肌の若返りに対する場合である。ＯＰＳＬに対する単純な基準は、ランプスペクトルから選択／フィルター処理された一又は複数の波長帯域を含み得る。（一又は複数の）帯域は、表皮の温度上昇に対するターゲット（毛幹、基質、血管、静脈、色素障害、入れ墨等）の温度上昇の比率がある数字Ｓより大きいように選択される。数字Ｓは、処置にとっての安全性の望ましいレベルに依存する。より高いＳは、より高い安全性レベルを与える。ランプの効率を最大にするためには、Ｓは約１であるべきである。
【００７４】
光スペクトルのフィルター処理は、提案装置の全ての最適な構成要素によって実現され得る。可能性のあるフィルター処理機構は、ランプ２、間隙７内の液体、管４、導波管５、フィルター６における光の波長選択性吸収と、反射板３での光の波長選択性吸収とを含む。フィルター６は、多層誘電体コーティング、反射コーティング、吸収媒体又はスペクトル共振散乱体として実現され得る。
【００７５】
フィルターとしての反射コーティングの使用は、光の付加的ロス、過度の光加熱を避けるのに望ましく、また、必要な冷却を最小にするために望ましい。この種のフィルターは、ランプにおける余分な光の吸収と、その光出力の増加とにより、提案装置におけるランプの放射効率を高める。しかしながら、入射（範囲）の大きな角度では、誘電体干渉フィルターは、光スペクトルの短長波部分を、長波長部分よりも皮膚へとより良く伝送する。これは、血管障害が非常に表面的であるという前提で、色素性障害及び血管障害にのみ有益な表皮の付加的な加熱をまねく。逆に、吸収フィルターは、スペクトルの長波長部分を、短波長部分よりもより良く伝送する。これは、より深いターゲットの処置にとって好ましく、かつ表皮にとって安全である。あいにく、吸収フィルターは光で加熱され、また冷却を要する。そのため、このフィルターをランプ２上又は管４内部に配置することが最も効率的である。これがその場合なら、間隙７内の液体又は気体がランプと同時にフィルターを冷却し、該ランプは主要な熱源である。フィルターは、間隙７内の液体又はランプ２もしくは管４が形成される材料に加えられた吸収ドープ（イオン、原子、分子、微結晶）として実現され得る。水フィルタリングが望ましい場合、間隙７内の流体は、所望により単独の又ドープされた水であり得る。油、アルコール等の他の流体も間隙７に使用され得る。
【００７６】
更には、追加の管６５（図２３ａ）が管４内部に含められ得る。管６５は、例えば、Ｃｅ、Ｓｍ、Ｅｕ、Ｃｒ、Ｎｄ、Ｌａ、Ｆｅ、Ｍｇ、Ｔｍ、Ｈｏ、Ｅｒ等、イオン又は半導体微結晶がドープされたガラスから成る。該管は、ランプ２と管４との間の空隙に埋め込まれた粒子もしくはスラブ、繊維、又は、同様の材料から成る他の構成要素６６（図２３ｂ）によって置き換えられ得る。管６５及び構成要素６６は冷却され、後者は、提案された装置の強力なフィルター処理及び高い平均パワーのため、有利である。フィルター処理は、屈折率に対する共振散乱を用いることで実行され得る。例えば、波長λでの冷却液体の屈折率と一致する粒子６６の屈折率を選ばせる。その際、波長での管における散乱は存在せず、そのため、伝送は最大である。波長がλから離調されると、屈折率の不整合が増加し、光の散乱及び吸光度の両方を強化する。構成要素７又は６６の少なくとも一方の屈折率が、光のパワー又は温度の関数として変化する場合、この散乱媒体は、該組織における流束量を自動的に（自動）調節をすることができる。例えば、低パワーでは、７と６６間の屈折率Δｎにおける差異は最小であり、また、散乱により光の減衰も最小である。しかし、高パワーでは、７又は（及び）６６の屈折率の非線形により、Δｎは増加し、光の減衰も増える。この機構は、高流束量からの皮膚の保護に使用され得る。フィルター６は、同じ原理を用いて実施され得る。この場合、散乱構成要素（散乱成分）の一つ、例えば液晶又はセグネットエレクトリカル（segnetelectrical）セラミックが、電界への強い依存を示すならば、例えば電界によってスペクトルの透過率（スペクトルの伝送）が制御され得る。フィルター６は、液体が凍結された際の整合屈折率Δｎ≒０を有する液体（例えば水）及び固体状態の粒子の懸濁として形成され得る。この状態における光の散乱及び減衰は非常に低い。導波管５の温度（０℃周辺）は、液体が完全に溶解するまでフィルター６の融解温度に留まる。この時間は、良好な冷却による皮膚の処置に使用され得る。液体中の媒体の屈折率及び結晶条件は、非常に異なる。そのため、溶解後、液体６は、ビームの著しい減衰を有する高散乱板になる。６がその冷却能力を失うと、組織における流束量は、従って、自動的に下がり、組織を損傷から保護する。
【００７７】
１．４μｍ及び１．９μｍで水のＩＲ吸収ピーク付近の光スペクトルをフィルターに通すため、厚さ１〜３ｍｍの液体水フィルターが使用され得、この水は、冷却用にも使用され得る。
【００７８】
冷却
皮膚に堆積される光エネルギーを高めるため、皮膚は選択的に冷却される。４℃以下の温度までの皮膚の冷却が、痛みを減らすか又は取り除くのに効果的であり得る。提案装置において、皮膚冷却は、導波管５の冷却チップとの接触を通じて実施される。導波管５を冷却するためのいくつかの機構があり得る。図２４は、導波管５に対する冷却機構を示し、これは、最も効果的である。長いＡ及びＢの寸法及び皮膚からの著しい熱流束に対し最も効果的である（著しい色素性皮膚、長いパルス）。サファイアのような良好な熱伝導特性を有する材料から成る導波管は、それを通って形成された複数のカット６７を有し、冷却液体又は気体が該カットを通って循環する。該カットは、円形、矩形又は他の断面を有し得る。カットの内側面は、皮膚と接触する導波管チップの面の総面積を上回るべきである。カットは、導波管にわたって均一に分布され、そのため、もし側部のみが冷却される場合にそれらがなるであろう温度から温度勾配を除去し又は勾配を少なくとも低減する。冷却はまた、カット面からのフレオンのような液体の蒸発を通じて成し遂げられ得る。図２５は、乏しい熱伝導材料から成り得る部品６９と高熱伝導材料から成る板７０とが組み合わされた複合導波管における冷却機構を示し、冷却液体又は気体６８は、それらの間の薄い間隙を流通し、該間隙内を満たす。更には、光揮発性液体が（例えば、Ｒ１３４Ａとしての蒸発スプレー）、６９と７０間の間隙内に注入され得る。図２５の機構はまた、大きな導波管に対し、皮膚の均一な冷却を与える。図２６は、循環流体、気体又はスプレーを利用する、導波管の側面のための冷却機構を示す。該機構は、導波管５の側面から熱を除去する構成要素７１を含む。構成要素７１は、循環冷却流体であり得、又はぺルティエもしくは他の熱電気構成要素であり得る。この機構は、少なくとも一の寸法Ａ、Ｂが十分に小さいならば、適用可能である。同じ冷却構成要素７１によって冷却される追加の板７２が設けられ得、板７２は、該装置が皮膚表面にわたって走査される際、皮膚の事前及び事後冷却に使用される。
【００７９】
図２７は、フレオンのような低蒸発温度の流体のスプレー７３によって冷却される複合導波管６９、７０を示す。液化流体を収容するリザーバ７６は、電気的又は機械的機構７４によって制御される弁７７に管７５を通じて接続される。弁７７が開放されると、液化ガスがリザーバ７６から圧力下で管７１へと送られ、次いで、ノズル７２からスプレーされる。弁が開放する間のパルス持続時間は、構成要素７０を上記温度まで冷却するために十分な流体を該要素７０へと送るように選定される。この温度、及び要素７０の厚さは、上記深さまで皮膚を冷却し、表皮の損傷を防ぐように選定される。管７１は、管７１が皮膚と接触する際に弁７７が作動されるように、接触センサーを好ましくは含む。これが、構成要素すなわち板７０が皮膚と接触する前に起こることが理解される。これは、皮膚及び板７０の両方に適用される極低温又は他の冷却スプレーをもたらし、皮膚の事前冷却をもたらし、また、板７０が皮膚と接触するようになると、平行した冷却をもたらす。板７０の厚さは、冷却の深さを制御することができる。
【００８０】
構成要素７０は、サファイア又はダイヤモンドから形成され得る。導波管６９の材料は、低熱伝導率及び低熱容量の少なくとも一方を通じて（例えば、プレキシガラス又はガラス）又はにかわを用いて導波管７０から部分的に断熱されなければならない。
【００８１】
図２７の機構の利点は、たとえ板７０の初期温度が低くても、適正に選択された板７０の厚さに対し、該機構が表皮の過度の冷却を防ぐことである。更に、（スプレーを使わない場合に）避けがたい温度勾配は、流体が板７０上へとスプレーされる場合、滑らかになる。流体は、導波管７０が皮膚に接触する前にスプレーされる。板又は導波管７０は、皮膚表面に非常に近接して配置され得、そのため、スプレーされた流体は、導波管及び皮膚を同時に予冷する。次いで、皮膚と導波管との間の光学的及び熱的接触の両方が確立され、随意時間遅延が導入され、ランプからの光が次に皮膚を照射する。数値シミュレーションは、サファイア板厚１が０．５〜３ｍｍならば、−２６℃で沸騰するフレオンは、効果的に表皮を冷却する。
【００８２】
予冷持続時間は、０．２〜１ｓである。同期される全てのプロセスでは、弁７７を開放する機構は、皮膚接触センサー、例えば管７１内のセンサーによって好ましくは制御される。
【００８３】
冷却流体、例えば水又は空気が接触板７０上に流される光学的皮膚科学装置にとって、この板の厚さはまた、図２７の板７０の場合、冷却の深さを制御するように選択され得る。
【００８４】
付加的安全対策
この発明の装置は、医師による使用のみでなく、サロン、理髪店及びことによると家庭での使用をも企図する。この上記理由のため、一つのバージョンには、皮膚との接触を検出するためのシステムが提供される。該システムは、人の目の光照射を防ぎ得、また患者の皮膚の色素沈着を測定し得る。特に後者の機能は、特定の患者に対する最も安全な照射パラメーターを自動的に決定する能力を与える。そのような検出システムの実施形態は、図２８に示される。アークランプ２又は追加の光源８２（マイクロランプ、導波管）からの光は、導波管５の出口へと向けられる。光ファイバー７９は、例えばプリズム７８によって導波管５に結合される。角度αは、理想的には皮膚１から反射された光（光子）のみが検出器８１に達すように、ランプ２又は光源８２からの光を最小にするか又は該光のプリズム７８の通過を防ぐように選択される。角度αの範囲は次の限度内に入る。
ａｒｃｓｉｎ（１／ｎw）＜α＜９０°  サファイアでは、３４．６°＜α＜９０°  皮膚に接触し次第、皮膚からの後方散乱光は、導波管７８に入る。導波管内において、該後方散乱光は、２又は８２からの直接光よりも広角なスペクトルを有する。前者の光は、角度範囲ａｒｃｓｉｎ（ｎskin／ｎw）＜α＜９０°内で伝播する。サファイアでは、これは、５３．８°＜α＜９０°をもたらす。そのため、条件ａｒｃｓｉｎ（１／ｎw）＜α、ａｒｃｓｉｎ（ｎskin／ｎw）が有効ならば、導波管の開口角はこの角度範囲内であり、その際、皮膚からの後方散乱光以外の光は導波管７８へは全く入らない。この光の強度は、特に好ましいスペクトル範囲６００ｎｍ＜λ＜８００ｎｍ内で、皮膚の種類に依存する。反射信号は、不要な波長を遮断するフィルター８０を通じて光検出器８１によって測定される。光検出器８１からの出力は、電源１０（図２）を制御するシステムに利用される。導波管の皮膚との完全な光学的接触に対し到達した最小信号レベルは、患者の皮膚の種類に対する拡散反射係数に基づいて前もってセットされる。接触検出は、検出器８１に適用される信号が接触時に著しく跳び上がるという事実によって助長される。フィルター８０は、これが反射光に対してのみ起こることを保証する。図２７の光学システムは、皮膚パラメーターにおける変化、例えば不均一な色素沈着によって引き起こされる損傷から皮膚を保護する。光検出器８１は、導波管５に直接連結され得る。更には、該装置は、最小光子漏出を被る光学システム内部の放射照度の測定に基づいて制御されることもできる。この放射照度は、ランプが空中で又は標準的な反射板に対し放射している場合、ランプの出力エネルギーに比例する。しかし、ランプが皮膚内に照射しているなら、この放射照度は、皮膚からの反射に比例する。後者の場合、該光学システムは、積分球のように動作する。
【００８５】
本発明は、多くの実施形態について上記され、多くの変形が論じられたが、これらの記述は例示目的にすぎず、更なる変形が、添付の請求の範囲によってのみ定義されるべき本発明の精神及び範囲内に依然として留まったまま、当業者によってここになされ得る。例えば、上述した概念は、ランプに基づく実施に使用されたが、これら概念の多くは、放射源としてランプを使用するシステムにおいての使用のみに限定されず、又は、非コヒーレント放射源にさえも限定されない。
【００８６】
以下の表における全ての波長は、公差＋／−５％で求められる。例えば、０．５１μｍは、０．４８５〜０．５３６μｍを意味する。
【００８７】
【表１】
2006334438.tif 000003
【００８８】
【表２】
2006334438.tif 000004
【００８９】
【表３】
2006334438.tif 000005
【００９０】
【表４】
2006334438.tif 000006
【００９１】
【表５】
2006334438.tif 000007
【００９２】
【表６】
2006334438.tif 000008
【図面の簡単な説明】
【００９３】
【図１】本発明の実施形態のためのランプ装置の破断側面図である。
【図１ａ】本発明の別の実施形態のためのランプ装置の破断側面図である。
【図２】本発明の実施形態のためのランプ装置の軸方向断面図である。
【図２ａ】本発明の別の実施形態のためのランプ装置の軸方向断面図である。
【図３】ある固有の発色団に対する吸収スぺクトルを示すチャートである。
【図４】異なる種類の皮膚に対する浸入度（浸入深さ）スペクトルのチャートである。
【図５】選択されたパラメーターでの典型的なアークランプ放射スペクトルを示すチャートである。
【図６ａ】白い皮膚での基底層の温度上昇に対する毛幹及び毛基質それぞれの温度上昇のチャートである。
【図６ｂ】浅黒い皮膚での基底層の温度上昇に対する毛幹及び毛基質それぞれの温度上昇のチャートである。
【図７ａ】異なる皮膚の種類及び／又は処置に対する初期ランプスペクトル及び分布スペクトルである。
【図７ｂ】異なる皮膚の種類及び／又は処置に対する初期ランプスペクトル及び分布スペクトルである。
【図７ｃ】異なる皮膚の種類及び／又は処置に対する初期ランプスペクトル及び分布スペクトルである。
【図８】光ビームのサイズにおける表皮の照度に対する、１ｍｍの深さ及び３ｍｍの深さでの光照度の依存性を示すチャートである。
【図９】１０ｍｍビーム幅及び１５ｍｍビーム幅それぞれでの表面及び深さにおける光の分布を示すチャートである。
【図１０】ビーム幅における光子リサイクリングによる流束量の改善の依存性を示すチャートである。
【図１１】三つの異なるパルス形状での時間に対するパルスパワーの図である。
【図１２】表皮における流体に対する浅いターゲット（クモ状静脈）における流体の比率に対してのマイクロメートル単位の波長の関係を示すチャートである。
【図１３】本発明のある側面の実施に使用するのに適した種々のランプ断面の概略図である。
【図１４】異なるフィルター構造を有する別の実施形態のためのランプの正面破断図である。
【図１５】この発明の教示の実施に使用するのに適した二つの別の導波管構造の斜視図である。
【図１６】本発明の教示の実施に使用するのに適した更に別の導波管の斜視図である。
【図１７】ランプの外側管と導波管との間に配された材料における光子の角スペクトルの依存性を示すチャートである。
【図１８】導波管材料がランプを実質上囲む本発明の別の実施形態に従うランプの側面破断図である。
【図１９】導波管長における放射の均一性の依存性を示すチャートである。
【図２０ａ】異なる用途での本発明の教示の実施に使用するのに適した種々の導波管の側面図（図２０ｃからの破断）である。
【図２０ｂ】異なる用途での本発明の教示の実施に使用するのに適した種々の導波管の側面図（図２０ｃからの破断）である。
【図２０ｃ】異なる用途での本発明の教示の実施に使用するのに適した種々の導波管の側面図（図２０ｃからの破断）である。
【図２０ｄ】異なる用途での本発明の教示の実施に使用するのに適した種々の導波管の側面図（図２０ｃからの破断）である。
【図２０ｅ】その上にマスクが形成された導波管の底面図である。
【図２１ａ】レイジング特性又は超発光特性を有する導波管を利用するランプ構造の側面図である。
【図２１ｂ】レイジング特性又は超発光特性を有する導波管を利用するランプ構造の側面図である。
【図２２】標準導波管を有するランプでの出力スペクトルと、図２１のレイジング導波管又は超発光導波管を有するランプでの例示的出力スペクトルとを示すチャートである。
【図２３ａ】新規なフィルタリング技術を組み込んだ二つの別の実施形態の場合の側面破断図である。
【図２３ｂ】新規なフィルタリング技術を組み込んだ二つの別の実施形態の場合の側面破断図である。
【図２４】新規な冷却チャネルが内部を通って形成された導波管の斜視図である。
【図２５】特有の冷却能力を示す導波管の実施形態の側面図である。
【図２６】導波管を冷却するための更に別の機構の側面図である。
【図２７】導波管に対する更に別の冷却機構の側面図である。
【図２８】患者の皮膚の安全な照射を検出するための特有の機構を提供する本発明の実施形態のやや概略的な部分破断正面図である。
【符号の説明】
【００９４】
１  皮膚
２  アークランプ
３  反射板
４  管
５  導波管
６  フィルター
７  間隙（チャネル）
【図１】
2006334438.tif 000009
【図１ａ】
2006334438.tif 000010
【図２】
2006334438.tif 000011
【図２ａ】
2006334438.tif 000012
【図３】
2006334438.tif 000013
【図４】
2006334438.tif 000014
【図５】
2006334438.tif 000015
【図６ａ】
2006334438.tif 000016
【図６ｂ】
2006334438.tif 000017
【図７ａ】
2006334438.tif 000018
【図７ｂ】
2006334438.tif 000019
【図７ｃ】
2006334438.tif 000020
【図８】
2006334438.tif 000021
【図９】
2006334438.tif 000022
【図１０】
2006334438.tif 000023
【図１１】
2006334438.tif 000024
【図１２】
2006334438.tif 000025
【図１３】
2006334438.tif 000026
【図１４】
2006334438.tif 000027
【図１５】
2006334438.tif 000028
【図１６】
2006334438.tif 000029
【図１７】
2006334438.tif 000030
【図１８】
2006334438.tif 000031
【図１９】
2006334438.tif 000032
【図２０ａ】
2006334438.tif 000033
【図２０ｂ】
2006334438.tif 000034
【図２０ｃ】
2006334438.tif 000035
【図２０ｄ】
2006334438.tif 000036
【図２０ｅ】
2006334438.tif 000037
【図２１ａ】
2006334438.tif 000038
【図２１ｂ】
2006334438.tif 000039
【図２２】
2006334438.tif 000040
【図２３ａ】
2006334438.tif 000041
【図２３ｂ】
2006334438.tif 000042
【図２４】
2006334438.tif 000043
【図２５】
2006334438.tif 000044
【図２６】
2006334438.tif 000045
【図２７】
2006334438.tif 000046
【図２８】
2006334438.tif 000047